(57)【特許請求の範囲】
【請求項１】
ドア本体の表面に化粧材を設けたドアをドア枠に開閉可能に支持した建具であって、
前記化粧材の一側部には、前記ドア本体の表面との間に隙間を形成したカバー部と、該カバー部の内側に配設された係合片部とが設けられ、
前記ドア本体の表面には、前記係合片部を係合する保持具が固定され、
前記化粧材は、前記係合片部を前記保持具に係合させることで前記一側部が前記ドア本体の表面に保持されると共に、前記一側部と反対側の他側部が前記ドア本体の表面に固定された固定具に対して着脱可能に保持され、前記保持具を前記カバー部で覆った状態で前記ドア本体の表面に取り付けられ、
前記保持具は、前記係合片部を前記ドア本体の表面に対して押し付けて保持する板ばね部材であり、
前記係合片部は前記板ばね部材に対してスライドして係合されることを特徴とする建具。
【請求項２】
ドア本体の表面に化粧材を設けたドアをドア枠に開閉可能に支持した建具であって、
前記化粧材の一側部には、前記ドア本体の表面との間に隙間を形成したカバー部と、該カバー部の内側に配設された係合片部とが設けられ、
前記ドア本体の表面には、前記係合片部を係合する保持具が固定され、
前記化粧材は、前記係合片部を前記保持具に係合させることで前記一側部が前記ドア本体の表面に保持されると共に、前記一側部と反対側の他側部が前記ドア本体の表面に固定された固定具に対して着脱可能に保持され、前記保持具を前記カバー部で覆った状態で前記ドア本体の表面に取り付けられ、
前記化粧材は、前記ドア本体の表面に複数枚並んで取り付けられるものであり、
隣接する化粧材の間では、一方の化粧材の一側部に設けられたカバー部が他方の化粧材の他側部に重ねられることで、前記一方の化粧材の一側部の係合片部を保持する保持具と前記他方の化粧材の他側部を保持する固定具とが前記一方の化粧材のカバー部によって覆われることを特徴とする建具。
【請求項３】
請求項２記載の建具において、
前記一方の化粧材の他側部には、前記他方の化粧材の一側部の係合片部を保持するための保持具を避ける逃げ部が設けられていることを特徴とする建具。
【請求項４】
請求項３記載の建具において、
前記固定具は、前記ドア本体の内部に埋設され、該ドア本体の表面に雌ねじが開口した袋形状を有するナットであり、
前記化粧材の他側部は前記ナットに対してねじ止めされることを特徴とする建具。
【請求項５】
ドア本体の表面に化粧材を設けたドアをドア枠に開閉可能に支持した建具であって、
前記化粧材の一側部には、前記ドア本体の表面との間に隙間を形成したカバー部と、該カバー部の内側に配設された係合片部とが設けられ、
前記ドア本体の表面には、前記係合片部を係合する保持具が固定され、
前記化粧材は、前記係合片部を前記保持具に係合させることで前記一側部が前記ドア本体の表面に保持されると共に、前記一側部と反対側の他側部が前記ドア本体の表面に固定された固定具に対して着脱可能に保持され、前記保持具を前記カバー部で覆った状態で前記ドア本体の表面に取り付けられ、
前記カバー部は、前記ドア本体の表面に対面する前記化粧材の裏面側を板厚方向に薄く形成されており、
前記化粧材の他側部には、該化粧材の表面側を板厚方向に薄く形成され、前記カバー部が重なる薄肉部が設けられることを特徴とする建具。
【請求項６】
ドア本体の表面に化粧材を設けたドアをドア枠に開閉可能に支持した建具であって、
前記化粧材の一側部には、前記ドア本体の表面との間に隙間を形成したカバー部と、該カバー部の内側に配設された係合片部とが設けられ、
前記ドア本体の表面には、前記係合片部を係合する保持具が固定され、
前記化粧材は、前記係合片部を前記保持具に係合させることで前記一側部が前記ドア本体の表面に保持されると共に、前記一側部と反対側の他側部が前記ドア本体の表面に固定された固定具に対して着脱可能に保持され、前記保持具を前記カバー部で覆った状態で前記ドア本体の表面に取り付けられ、
前記係合片部は、前記化粧材の裏面に固着され、一端側が前記カバー部の内側に向かって突出した板状部材であることを特徴とする建具。
【請求項７】
請求項２〜４のいずれか１項に記載の建具において、
前記化粧材は、前記一側部が前記ドア本体の吊元側に配置され、前記他側部が前記ドア本体の戸先側に配置され、前記ドア本体の吊元側から戸先側に向かって複数枚並んで取り付けられることを特徴とする建具。
【請求項８】
請求項７記載の建具において、
各化粧材のうち、前記ドア本体の最も戸先側に設けられる化粧材は、その他側部が前記ドア本体の戸先側見込み面に設けられるエッジ部材を用いて保持されることを特徴とする建具。
【請求項９】
請求項２〜４のいずれか１項に記載の建具において、
前記化粧材は、前記一側部が前記ドア本体の下側に配置され、前記他側部が前記ドア本体の上側に配置され、前記ドア本体の下側から上側に向かって複数枚並んで取り付けられることを特徴とする建具。
【発明の詳細な説明】
【技術分野】
【０００１】
本発明は、ドア本体の表面に化粧材を設けたドアをドア枠に開閉可能に支持した建具に関する。
【背景技術】
【０００２】
住宅や店舗の玄関や入口等に設置されるドアでは、例えば框体となる四周の骨材を一対の表面材の間に挟み込んで構成したドア本体の表面に木製や樹脂製等の化粧材が設けられることがある。例えば特許文献１には、ドア本体の表面の全面に亘って化粧材を接着固定したドアが開示されている。
【先行技術文献】
【特許文献】
【０００３】
【特許文献１】特開２００４−２７８０２８号公報
【発明の概要】
【発明が解決しようとする課題】
【０００４】
上記のようなドアでは、紫外線や外気の影響を受けると化粧材に割れや損傷を生じることがある。この場合、特許文献１の構成では化粧材をドア本体の表面全面に接着固定しているため、化粧材単独での交換が困難であり、化粧材を交換する際にはドア全体での交換で対応する必要がある。しかも、化粧材が熱や雨水等の影響で寸法変化を生じた場合、全面接着のためこのような寸法変化を吸収することができず、化粧材に割れや損傷を発生し易い。
【０００５】
本発明は、上記従来技術の課題を考慮してなされたものであり、ドア表面の化粧材の割れや損傷の発生を抑制し、さらに化粧材単独での交換を容易に行うことができる建具を提供することを目的とする。
【課題を解決するための手段】
【０００６】
本発明に係る建具は、ドア本体の表面に化粧材を設けたドアをドア枠に開閉可能に支持した建具であって、前記化粧材の一側部には、前記ドア本体の表面との間に隙間を形成したカバー部と、該カバー部の内側に配設された係合片部とが設けられ、前記ドア本体の表面には、前記係合片部を係合する保持具が固定され、前記化粧材は、前記係合片部を前記保持具に係合させることで前記一側部が前記ドア本体の表面に保持されると共に、前記一側部と反対側の他側部が前記ドア本体の表面に固定された固定具に対して着脱可能に保持され、前記保持具を前記カバー部で覆った状態で前記ドア本体の表面に取り付けられることを特徴とする。
【０００７】
このような構成によれば、先ず固定具による拘束作用を解除し、続いて化粧材を保持具から係合片部を離脱させるだけでドア本体から化粧材を容易に取り外すことができる。従って、ドア本体を残したまま、化粧材を単独で容易に交換することができる。しかも、化粧材は他側部が固定具を用いてドア本体の表面で保持されるが、一側部は係合片部を保持具に対して係合によって保持しているため、ある程度の寸法変化が許容されている。このため、化粧材が熱や雨水等の影響で寸法変化を生じた場合であってもこの寸法変化が円滑に吸収され、化粧材に割れや損傷を生じること自体が抑制される。また、化粧材はカバー部で保持具を覆った状態でドア本体の表面に取り付けられるため、保持具がドアの外観上に露出することがなく、高い外観品質が得られる。
【０００８】
本発明に係る建具において、前記保持具は、前記係合片部を前記ドア本体の表面に対して押し付けて保持する板ばね部材であり、前記係合片部は前記板ばね部材に対してスライドして係合される構成であってもよい。そうすると、開閉操作が行われるドアの表面での化粧材のがたつきを防止し、化粧材をより安定して保持しておくことができる。
【０００９】
本発明に係る建具において、前記化粧材は、前記ドア本体の表面に複数枚並んで取り付けられるものであり、隣接する化粧材の間では、一方の化粧材の一側部に設けられたカバー部が他方の化粧材の他側部に重ねられることで、前記一方の化粧材の一側部の係合片部を保持する保持具と前記他方の化粧材の他側部を保持する固定具とが前記一方の化粧材のカバー部によって覆われる構成であってもよい。そうすると、大きな表面積を有するドア本体に対しても木製や樹脂製の化粧材を円滑に取り付けることができる。しかも各化粧材の保持具と固定具とはカバー部によって覆われて外面に露出しないため、ドアの外観品質を高めることができる。
【００１０】
本発明に係る建具において、前記一方の化粧材の他側部には、前記他方の化粧材の一側部の係合片部を保持するための保持具を避ける逃げ部が設けられた構成であってもよい。そうすると、隣接する化粧材間の間隔を可及的に詰めることができ、カバー部の延出寸法も最小限に構成でき、例えば木製や樹脂製で形成されたカバー部の強度を確保できる。
【００１１】
本発明に係る建具において、前記固定具は、前記ドア本体の内部に埋設され、該ドア本体の表面に雌ねじが開口した袋形状を有するナットであり、前記化粧材の他側部は前記ナットに対してねじ止めされる構成であってもよい。そうすると、ドア本体に形成される固定具の取付穴を該固定具で確実に閉塞しておくことができる。その結果、仮に当該建具が火災等の熱や火炎を受けた場合であっても固定具の部分が熱や火炎の貫通孔となることを防止できる。
【００１２】
本発明に係る建具において、前記カバー部は、前記ドア本体の表面に対面する前記化粧材の裏面側を板厚方向に薄く形成されており、前記化粧材の他側部には、該化粧材の表面側を板厚方向に薄く形成され、前記カバー部が重なる薄肉部が設けられた構成であってもよい。そうすると、複数枚並んだ化粧材同士の表面高さを一定に構成することができ、ドアの外観品質を高めることができる。
【００１３】
本発明に係る建具において、前記係合片部は、前記化粧材の裏面に固着され、一端側が前記カバー部の内側に向かって突出した板状部材で構成されてもよい。そうすると、薄い、脆い等の問題を生じるため係合片部を形成できないような化粧材についても係合片部を設けることができ、ドア本体に対して確実に固定することができる。
【００１４】
本発明に係る建具において、前記化粧材は、前記一側部が前記ドア本体の吊元側に配置され、前記他側部が前記ドア本体の戸先側に配置され、前記ドア本体の吊元側から戸先側に向かって複数枚並んで取り付けられる構成であってもよい。そうすると、戸先側に設けられるドアハンドルを有効に利用して戸先側の化粧材の位置ずれを防止することができる。
【００１５】
本発明に係る建具において、各化粧材のうち、前記ドア本体の最も戸先側に設けられる化粧材は、その他側部が前記ドア本体の戸先側見込み面に設けられるエッジ部材を用いて保持される構成であってもよい。これにより、戸先側の化粧材の他縁部のねじ止め固定等が難しい構造の場合であっても該他縁部を容易に且つ確実に保持することができる。
【００１６】
本発明に係る建具において、前記化粧材は、前記一側部が前記ドア本体の下側に配置され、前記他側部が前記ドア本体の上側に配置され、前記ドア本体の下側から上側に向かって複数枚並んで取り付けられる構成であってもよい。そうすると、ドア本体の上側に配置された化粧材の他側部がその上に取り付けられた化粧材の一側部によって覆われるため、化粧材の内側への雨水等の浸入を防止できる。
【発明の効果】
【００１７】
本発明によれば、ドア本体を残したまま、化粧材を単独で容易に交換することができる。しかも、化粧材は他側部が固定具を用いてドア本体の表面で保持されるが、一側部は係合片部を保持具に対して係合によって保持しているためある程度の寸法変化が許容されており、化粧材に割れや損傷を生じること自体を抑制できる。
【図面の簡単な説明】
【００１８】
【図１】図１は、本発明の一実施形態に係る建具を備えた建具を室外側から見た正面図である。
【図２】図２は、図１中のＩＩ−ＩＩ線に沿う横断面図である。
【図３】図３は、図１中のＩＩＩ−ＩＩＩ線に沿う横断面図である。
【図４】図４は、１枚の化粧材を室内側から見た背面図である。
【図５】図５は、図２に示すドアの要部拡大図であり、図５（Ａ）は、吊元側化粧材付近を拡大した図であり、図５（Ｂ）は、中間化粧材付近を拡大した図であり、図５（Ｃ）は、戸先側化粧材付近を拡大した図である。
【図６】図６は、図３に示すドアの要部拡大図であり、図６（Ａ）は、吊元側化粧材付近を拡大した図であり、図６（Ｂ）は、中間化粧材付近を拡大した図である。
【図７】図７は、図４に示す化粧材の一部を拡大した図である。
【発明を実施するための形態】
【００１９】
以下、本発明に係る建具について好適な実施の形態を挙げ、添付の図面を参照しながら詳細に説明する。
【００２０】
図１は、本発明の一実施形態に係るドア１０を備えた建具１２を室外側から見た正面図である。また、図２は、図１中のＩＩ−ＩＩ線に沿う横断面図であり、図３は、図１中のＩＩＩ−ＩＩＩ線に沿う横断面図である。
【００２１】
図１に示すように、建具１２は、建物躯体の開口部に設置されるドア枠１４の内側にドア１０を開閉可能に取り付けた片開きドアであり、例えば住宅の玄関ドアに使用される。本発明は、玄関ドア以外の各種ドアに適用可能であり、片開きドア以外、例えば親子ドアや両開きドア等にも利用可能である。
【００２２】
図１〜図３に示すように、ドア１０は、ドア本体１６の室外側及び室内側の両表面にそれぞれ化粧材１８，２０を設けた構造であり、ドア枠１４の一方の縦枠に対してヒンジ２２を用いて開閉可能に取り付けられる。
【００２３】
図２及び図３に示すように、ドア本体１６は、枠状に形成された骨組体２４の室外側及び室内側の表面にそれぞれ表面パネル２５を配設して構成されている。骨組体２４と各表面パネル２５で囲まれたドア本体１６の内部空間には錠装置や配線コード等の各種部品が配設されると共に、発泡樹脂等の芯材が充填される。
【００２４】
骨組体２４は、上下左右の骨材２４ａを四周枠組みすることで矩形枠状に構成され、骨組体２４はドア１０の框体となるものである。各骨材２４ａは、アルミニウムやスチール等の金属材料の成形材であり、断面略コ字状とされている。骨組体２４は、吊元側の骨材２４ａがドア枠１４の縦枠に対してヒンジ２２によって回転可能に連結され、これによりドア１０がドア枠１４に対して開閉可能に支持される。吊元側の骨材２４ａの見込み面にはエッジ部材２６が取付ねじ２８を用いて固定され、戸先側の骨材２４ａの見込み目にはエッジ部材２７が取付ねじ２８を用いて固定されている。エッジ部材２６，２７は、アルミニウムやスチール等の金属材料の押出成形材である。戸先側のエッジ部材２７の室外側縁部には、面内方向外方へと突出すると共に一旦室外側に向かって屈曲された後、面内方向内方へと折り返されることでコ字状に形成された折曲片２７ａが設けられている。
【００２５】
骨組体２４の両表面にそれぞれ設けられる表面パネル２５は薄い鋼板で形成されており、その縁部に直角方向に屈曲した折曲片部２５ａを有する。各表面パネル２５の折曲片部２５ａは、互いに近接する方向に屈曲形成されることで骨組体２４の見込み面に対向するように配設される。
【００２６】
ドア本体１６の室内側の表面に設けられる化粧材２０は、ドア本体１６の上下方向に亘って延びた帯状の薄板であり、例えば木製や樹脂製で構成される。本実施形態の場合、化粧材２０をドア本体１６の左右方向に沿って複数枚、例えば６枚並設しており、各化粧材２０はドア本体１６の室内側の表面パネル２５の表面に接着固定される。
【００２７】
互いに隣接する化粧材２０，２０同士は、一方の幅方向一側部と他方の幅方向他側部とが互い違いに形成された段付き形状によって重なるように設けられる（図２及び図３参照）。これにより、各化粧材２０が一枚板状に構成されると共に、上下方向の凹状模様が各化粧材２０，２０間に形成され、高い外観品質が得られる。また、最も戸先側の化粧材２０における室内側のドアハンドル２９に対応する部分には切欠部２０ａが形成されており、ドアハンドル２９近傍にも化粧材２０が配設されている（図２参照）。
【００２８】
ドア本体１６の室外側の表面に設けられる化粧材１８は、室内側の化粧材２０と同様、ドア本体１６の上下方向に亘って延びた帯状の薄板であり、例えば木製や樹脂製で構成される。化粧材１８についてもドア本体１６の左右方向に沿って複数枚、例えば６枚並設している。このようにドア本体１６の室外側に設けられる化粧材１８は、紫外線や外気等の影響を受け易いため、その交換性を考慮してドア本体１６の室外側の表面パネル２５の表面に着脱可能な構造で取り付けられる。
【００２９】
図２及び図３に示すように、本実施形態では、その裏面形状やドア本体１６に対する取付構造が多少異なる３種類の化粧材１８、すなわち最も吊元側に設けられる化粧材１８（以下、「吊元側化粧材１８ａ」とも呼ぶ）と、最も戸先側に設けられる化粧材１８（以下、「戸先側化粧材１８ｂ」とも呼ぶ）と、化粧材１８ａ，１８ｂ間に並べられる中間の化粧材１８（以下、「中間化粧材１８ｃ」とも呼ぶ）とを用いている。
【００３０】
図４は、１枚の化粧材１８（中間化粧材１８ｃ）を室内側（裏面側）から見た背面図である。図５は、図２に示すドア１０の要部拡大図であり、図５（Ａ）は、吊元側化粧材１８ａ付近を拡大した図であり、図５（Ｂ）は、中間化粧材１８ｃ付近を拡大した図であり、図５（Ｃ）は、戸先側化粧材１８ｂ付近を拡大した図である。また、図６は、図３に示すドア１０の要部拡大図であり、図６（Ａ）は、吊元側化粧材１８ａ付近を拡大した図であり、図６（Ｂ）は、中間化粧材１８ｃ付近を拡大した図である。図７は、図４に示す化粧材１８の一部を拡大した図である。
【００３１】
先ず、中間化粧材１８ｃは、図２及び図５（Ｂ）に示すように、幅方向一側部（吊元側側部）に設けられたカバー部３０と、カバー部３０の内側に配設された係合片部３２と、幅方向他側部（戸先側側部）に設けられた薄肉部３４とを備える。
【００３２】
カバー部３０は、中間化粧材１８ｃの一側端から所定幅だけ該中間化粧材１８ｃの裏面側を板厚方向に薄く形成され、ドア本体１６の表面（表面パネル２５）との間に隙間を形成している。図４に示すように、カバー部３０は中間化粧材１８ｃの長手方向（上下方向）に亘って延在形成されている。カバー部３０は、中間化粧材１８ｃを板厚方向に切り取って形成した構造であってもよく、押出成形等によって形成された構造であってもよい。
【００３３】
係合片部３２は、中間化粧材１８ｃの裏面に両面テープや接着剤を用いて固着され、その一端側（吊元側端部）がカバー部３０の内側に向かって突出した矩形の板状部材であり、例えばスチールやステンレス等の金属薄板である。図５（Ｂ）及び図７に示すように、係合片部３２は、その先端がカバー部３０の内側に完全に隠れる位置となるように配置されている。つまり、係合片部３２の先端は、カバー部３０の先端よりも十分に戸先側に引っ込んでいる。係合片部３２は、中間化粧材１８ｃの長手方向に沿って等間隔で複数枚、例えば７枚設けられている（図４参照）。
【００３４】
本実施形態の場合、係合片部３２は、中間化粧材１８ｃのカバー部３０の基端となる部分の一部を戸先側に向かって切り欠いた形状の凹状部３６の底面に固着されている。これにより、係合片部３２が中間化粧材１８ｃの裏面から表面パネル２５側に突出することが回避される（図５（Ｂ）及び図７参照）。
【００３５】
図４及び図５（Ｂ）に示すように、ドア本体１６（表面パネル２５）の表面における各係合片部３２と対応する各位置には、保持具３８が固定されている。保持具３８は、リベット４０を用いて表面パネル２５の表面に取付固定され、係合片部３２の先端側を向いて開口した板ばね部材である。保持具３８は、係合片部３２を戸先側から吊元側にスライドさせて係合させることで、係合片部３２を表面パネル２５の表面に対して押し付けて保持することができる。保持具３８（及びリベット４０）は、このように係合片部３２を保持した状態でカバー部３０の内側に収納される。リベット４０以外の固定手段、例えばねじや溶接によって保持具３８を表面パネル２５に取付固定してもよい。
【００３６】
薄肉部３４は、中間化粧材１８ｃの他側端から所定幅だけ該中間化粧材１８ｃの表面側を板厚方向に薄く形成される。薄肉部３４は、隣接する中間化粧材１８ｃ（又は戸先側化粧材１８ｂ）のカバー部３０が重ねられる部分であり、薄肉部３４とカバー部３０の板厚の合計が化粧材１８の他部の板厚と同一となるように設定されている（図５（Ｂ）参照）。図４に示すように、薄肉部３４は中間化粧材１８ｃの長手方向（上下方向）に亘って延在形成されている。薄肉部３４は、中間化粧材１８ｃを板厚方向に切り取って形成した構造であってもよく、押出成形等によって形成された構造であってもよい。
【００３７】
図４及び図７に示すように、薄肉部３４の係合片部３２及び保持具３８と対応する位置には、該薄肉部３４の端部から吊元側に向かって凹状に切り欠いた形状の逃げ部４２が形成されている。逃げ部４２は、中間化粧材１８ｃの長手方向に沿って等間隔で複数、例えば７個設けられている（図４参照）。逃げ部４２は、中間化粧材１８ｃの縁部を切り取って形成した構造であってもよく、押出成形等によって形成された構造であってもよい。
【００３８】
図５（Ｂ）及び図７に示すように、逃げ部４２は、その戸先側に隣接する中間化粧材１８ｃ（又は戸先側化粧材１８ｂ）の係合片部３２を保持するための保持具３８を避けるためのものである。つまり、所定の中間化粧材１８ｃの逃げ部４２には、その戸先側に隣接する中間化粧材１８ｃ（又は戸先側化粧材１８ｂ）の係合片部３２を保持するための保持具３８が配置され、これらはカバー部３０によって覆われる。
【００３９】
図３及び図６（Ｂ）に示すように、中間化粧材１８ｃは、薄肉部３４の長手方向で逃げ部４２とずれた位置、具体的には図４及び図７に示すように各逃げ部４２，４２間となる位置に均等に設置された固定ねじ４４によってドア本体１６に位置決め固定される。
【００４０】
ドア本体１６の室外側には、表面パネル２５の表面に雌ねじ４５ａが開口するように固定具４５が埋設されており、固定ねじ４４は固定具４５に対して薄肉部３４を挟んで締結される。固定具４５は、例えばポップナット等の袋形状を有するナットであり、図６（Ｂ）に示すように表面パネル２５の表面側から雌ねじ４５ａの開口周縁部に形成されたフランジを残してドア本体１６内へと挿入固定される。そこで、薄肉部３４の裏面には、固定具４５のフランジを避けるための凹部３４ａが形成されている。
【００４１】
次に、吊元側化粧材１８ａは、図２、図５（Ａ）及び図５（Ｂ）に示すように、幅方向一側部（吊元側側部）に設けられたカバー凹部４６と、カバー凹部４６の内側に配設された係合片部３２と、幅方向他側部（戸先側側部）に設けられた薄肉部３４とを備える。係合片部３２及び薄肉部３４は、上記した中間化粧材１８ｃの係合片部３２及び薄肉部３４と同様なものである。
【００４２】
カバー凹部４６は、吊元側化粧材１８ａの一側端から多少オフセットした位置で該吊元側化粧材１８ａの裏面側を凹ませて形成され、ドア本体１６の表面（表面パネル２５）との間に凹状の隙間を形成している。カバー凹部４６は、吊元側化粧材１８ａの長手方向（上下方向）で係合片部３２と対応する位置に適宜設けられている。また、カバー凹部４６が設けられた部分も含め、吊元側化粧材１８ａの一側端部には、その裏面側を板厚方向に僅かに切り欠いた形状であり、エッジ部材２６を避ける逃げ段部４８が長手方向に亘って形成されている（図２及び図３参照）。
【００４３】
図５（Ａ）に示すように、係合片部３２は、その先端がカバー凹部４６の内側に完全に隠れる位置となるように配置されている。吊元側化粧材１８ａの係合片部３２についても、中間化粧材１８ｃの係合片部３２と同様、吊元側化粧材１８ａの長手方向に沿って等間隔で複数枚、例えば７枚設けられている。また、吊元側化粧材１８ａの係合片部３２についても、ドア本体１６（表面パネル２５）の表面に固定された保持具３８によって保持されるものであり、保持具３８（及びリベット４０）は係合片部３２を保持した状態でカバー凹部４６の内側に収納される。
【００４４】
図２及び図５（Ｂ）に示すように、吊元側化粧材１８ａの薄肉部３４は、吊元側化粧材１８ａの長手方向（上下方向）に亘って延在形成されており、隣接する中間化粧材１８ｃのカバー部３０が重ねられる部分である。吊元側化粧材１８ａの薄肉部３４における係合片部３２及び保持具３８と対応する位置にも、隣接する中間化粧材１８ｃの係合片部３２を保持するための保持具３８を避ける逃げ部４２が形成されている。
【００４５】
図３及び図６（Ｂ）に示すように、吊元側化粧材１８ａについても、薄肉部３４の長手方向で逃げ部４２，４２間となる位置に均等に設置された固定ねじ４４により、ドア本体１６に設けられた固定具４５に対して締結される。
【００４６】
次に、戸先側化粧材１８ｂは、図２、図５（Ｂ）及び図５（Ｃ）に示すように、幅方向一側部（吊元側側部）に設けられたカバー部３０と、カバー部３０の内側に配設された係合片部３２と、幅方向他側部（戸先側側部）に設けられた支持縁部５０とを備える。
【００４７】
カバー部３０及び係合片部３２は、上記した中間化粧材１８ｃのカバー部３０及び係合片部３２と同様なものである。すなわち、戸先側化粧材１８ｂのカバー部３０についても、隣接する中間化粧材１８ｃの薄肉部３４に重ねて配置され、その内側に係合片部３２及びこの係合片部３２が係合する保持具３８（及びリベット４０）を収納する。戸先側化粧材１８ｂの係合片部３２についても、中間化粧材１８ｃの係合片部３２と同様、戸先側化粧材１８ｂの長手方向に沿って等間隔で複数枚、例えば７枚設けられている。
【００４８】
図２及び図５（Ｃ）に示すように、支持縁部５０は、戸先側化粧材１８ｂの他側端部の裏面側を板厚方向に僅かに切り欠いた形状であり、エッジ部材２７を避けつつ面内方向外方へと突出し、該エッジ部材２７の折曲片２７ａの内部に収容保持される部分である。折曲片２７ａの内部には、板ばね部材を略コ字状に屈曲形成したスナップ金具５２が内嵌されており、支持縁部５０はこのスナップ金具５２に挿入されることで折曲片２７ａの内部で保持される。
【００４９】
図１、図２及び図５に示すように、戸先側化粧材１８ｂにおける室外側のドアハンドル５４に対応する部分には矩形の孔部５６が上下一対形成されている。孔部５６は、ドアハンドル５４のドア本体１６に対する上下の取付部５４ａを避ける逃げ孔である。孔部５６は、ドアハンドル５４の取付部５４ａより僅かに大きな外形を有して形成されることで、該取付部５４ａを利用して戸先側化粧材１８ｂの上下左右の位置ずれを防止する位置ずれ防止部としても機能する。
【００５０】
次に、化粧材１８のドア本体１６への取付手順及び取外手順の一例を説明する。
【００５１】
先ず、各化粧材１８をドア本体１６の表面で保持するための保持具３８及び固定具４５をドア本体１６の表面に取り付ける。続いて、これら保持具３８及び固定具４５を用いて各化粧材１８を取り付けるが、この化粧材１８のドア本体１６への取り付けは、吊元側化粧材１８ａ、各中間化粧材１８ｃ、戸先側化粧材１８ｂの順に施工される。
【００５２】
すなわち、係合片部３２を保持具３８に対向させて吊元側化粧材１８ａをドア本体１６の表面に配置すると共に、該吊元側化粧材１８ａを吊元側へとスライドさせ、係合片部３２を保持具３８に係合させる。そうすると、吊元側化粧材１８ａは一側部が保持具３８によって保持された状態となり、同時にカバー凹部４６が保持具３８を覆い隠した状態となる（図２及び図５（Ａ）参照）。続いて、他側部を固定ねじ４４を用いて固定具４５に締結することで吊元側化粧材１８ａの取り付けが完了する（図２及び図３参照）。
【００５３】
この際、本実施形態では係合片部３２が吊元側化粧材１８ａに両面テープ等で固着されており、また保持具３８は係合片部３２を押さえ付けているだけのため、保持具３８による係合片部３２の保持作用は強固な拘束強度を有するものではない。しかしながら、固定ねじ４４及び固定具４５の締結作用により吊元側化粧材１８ａのドア本体１６への強固な機械拘束と上下左右の位置決めとがなされている。
【００５４】
次に、吊元側化粧材１８ａの隣に取り付ける中間化粧材１８ｃをドア本体１６の表面に配置すると共に、その係合片部３２を保持具３８に対向させて配置する。この際、この中間化粧材１８ｃの係合片部３２を保持するための保持具３８は、吊元側化粧材１８ａの薄肉部３４に形成された逃げ部４２の内側に収容配置されている。そこで、この中間化粧材１８ｃを吊元側へとスライドさせ、係合片部３２を保持具３８に係合させる。そうすると、中間化粧材１８ｃは一側部が保持具３８によって保持された状態となり、同時にカバー部３０が保持具３８を覆い隠した状態で吊元側化粧材１８ａの薄肉部３４に重なり配置される（図２及び図５（Ｂ）参照）。続いて、他側部を固定ねじ４４を用いて固定具４５に締結することで中間化粧材１８ｃの取り付けが完了する（図２及び図３参照）。
【００５５】
なお、このように取り付けた１枚目の中間化粧材１８ｃの隣に並設される他の中間化粧材１８ｃの取付手順は１枚目の中間化粧材１８ｃと同様の手順の繰り返しでよいため、詳細な説明は省略する。
【００５６】
次に、中間化粧材１８ｃの隣に戸先側化粧材１８ｂを取り付ける。すなわち、戸先側化粧材１８ｂをドア本体１６の表面に配置すると共に、その係合片部３２を保持具３８に対向させて配置する。そして、戸先側化粧材１８ｂを吊元側へとスライドさせ、係合片部３２を保持具３８に係合させる。そうすると、戸先側化粧材１８ｂは一側部が保持具３８によって保持された状態となり、同時にカバー部３０が保持具３８を覆い隠した状態で吊元側化粧材１８ａの薄肉部３４に重なり配置される（図２及び図５（Ｂ）参照）。
【００５７】
続いて、ドア本体１６の戸先側の見込み面に対してエッジ部材２７を取付ねじ２８によって取り付けると同時に、一側部が保持具３８によって保持されている戸先側化粧材１８ｂの他側部に設けた支持縁部５０に対して折曲片２７ａを外挿する。この際、折曲片２７ａの内部にスナップ金具５２を配設しておくことにより、戸先側化粧材１８ｂの支持縁部５０が折曲片２７ａの内部でがたつきなく保持され、戸先側化粧材１８ｂの取り付けが完了する（図２及び図３参照）。
【００５８】
続いて室外側のドアハンドル５４の取付部５４ａを戸先側化粧材１８ｂに設けた孔部５６を通してドア本体１６に取付固定し、これにより化粧材１８のドア本体１６への取付作業が完了する。なお、戸先側化粧材１８ｂは吊元側化粧材１８ａ及び中間化粧材１８ｃのようにねじ止めによる直接的な機械拘束はないものの、スナップ金具５２による保持作用と、ドアハンドル５４の取付部５４ａ及び孔部５６の位置ずれ防止作用とを有した状態でドア本体１６に取り付けられるため、上下左右への位置ずれや脱落を生じることはない。
【００５９】
一方、化粧材１８の取外手順は上記した取付手順と逆の手順を行えばよく、先ず、ドアハンドル５４及びエッジ部材２７を取り外した後、戸先側化粧材１８ｂを戸先側へとスライドさせることで係合片部３２を保持具３８から離脱させて該戸先側化粧材１８ｂを取り外す。次いで、固定ねじ４４を取り外して固定具４５による拘束作用を解除し、続いて化粧材１８をスライドさせて保持具３８から係合片部３２を離脱させる手順を中間化粧材１８ｃ及び吊元側化粧材１８ａについて順に行うだけで、各化粧材１８をドア本体１６から取り外すことができる。
【００６０】
以上のように、本実施形態に係るドア１０を備えた建具１２では、化粧材１８の一側部には、ドア本体１６の表面との間に隙間を形成したカバー部３０と、カバー部３０の内側に配設された係合片部３２とが設けられ、ドア本体１６の表面には、係合片部３２を係合する保持具３８が固定されている。そして、化粧材１８は、係合片部３２を保持具３８に係合させることで一側部がドア本体１６の表面に保持されると共に、他側部がドア本体１６の表面に固定された固定具４５に対して固定ねじ４４を用いて着脱可能に保持されると共に、保持具３８をカバー部３０で覆った状態でドア本体１６の表面に取り付けられる。
【００６１】
従って、仮に化粧材１８に割れや損傷を生じたため或いはリフォーム等のためにこの化粧材１８を交換する場合、先ず固定ねじ４４を取り外して固定具４５による拘束作用を解除し、続いて化粧材１８を保持具３８から係合片部３２を離脱させるだけでドア本体１６から容易に取り外すことができる。従って、ドア本体１６を残したまま、化粧材１８を単独で容易に交換することができる。しかも、化粧材１８は他側部が固定具４５を用いてドア本体１６の表面で保持されるが、一側部は係合片部３２を保持具３８に対して係合（本実施形態ではスライドさせて係合）保持しているため、ある程度の寸法変化が許容されている。このため、化粧材１８が熱や雨水等の影響で寸法変化を生じた場合であってもこの寸法変化が円滑に吸収され、化粧材１８に割れや損傷を生じること自体が抑制される。また、化粧材１８はカバー部３０で保持具３８を覆った状態でドア本体１６の表面に取り付けられるため、保持具３８がドア１０の外観上に露出することがなく、高い外観品質が得られる。
【００６２】
この場合、当該建具１２では、係合片部３２を化粧材１８とは別部品で構成し、化粧材１８の裏面に固着してカバー部３０の内側に向かって突出させた板状部材で構成している。このため、薄板状の係合片部３２を一体形成した場合に、薄い、脆い等の問題で十分な強度を担保できない材質や構造の化粧材１８であっても十分な強度の係合片部３２を設け、ドア本体１６に対して確実に固定することができる。勿論、化粧材１８自体に十分な強度を有する係合片部３２を一体形成可能な場合は、係合片部３２を別部品とせず、化粧材１８に直接的に形成してもよい。
【００６３】
また、化粧材１８の長手方向において、係合片部３２及び保持具３８の設置位置と、固定ねじ４４及び固定具４５の設置位置とが互い違いの等間隔で設けられているため（図４参照）、長尺な化粧材をバランスよく保持することができる。
【００６４】
保持具３８は、係合片部３２を係合する構造であれば、上記したような板ばね部材以外、例えば単に係合片部３２を圧入する構造であってもよい。但し、本実施形態では係合片部３２をドア本体１６の表面に対して押し付けて保持する板ばね部材で構成しているため、開閉操作が行われるドア１０であっても化粧材１８の一側部のがたつきを防止し、化粧材１８をより安定して保持しておくことができる。特に、中間化粧材１８ｃや戸先側化粧材１８ｂの一側部に設けたカバー部３０は、隣接する吊元側化粧材１８ａや中間化粧材１８ｃの薄肉部３４に重ねて配置されるため、保持具３８を板ばね部材によって構成してそのがたつきを押さえることで異音の発生も確実に防止できる。
【００６５】
当該ドア１０では、隣接する化粧材１８のうち、一方の化粧材１８の他側部には、他方の化粧材１８の一側部の係合片部３２を保持するための保持具３８を避ける逃げ部４２が設けられている。これにより、隣接する化粧材１８，１８間の間隔を可及的に詰めることができ、保持具３８を覆って一方の化粧材１８の薄肉部３４に重なる他方の化粧材１８のカバー部３０の延出寸法を最小限に構成できる。すなわち、木製や樹脂製で形成される上、さらに薄肉化が図られているカバー部３０の延出寸法を最小限に構成できるため、カバー部３０の強度を確保できる。
【００６６】
当該ドア１０において、固定具４５は、ドア本体１６の内部に埋設され、該ドア本体１６の表面に雌ねじ４５ａが開口した袋形状を有するナットで構成される。これにより、ドア本体１６（表面パネル２５）に形成される固定具４５の取付穴を固定具４５で確実に閉塞しておくことができる。その結果、仮に当該ドア１０が火災等の熱や火炎を受けた場合であっても固定具４５の部分が熱や火炎の貫通孔となることを防止できる。同様に、保持具３８についてもリベット４０でドア本体１６に固定されるため、この固定部分が貫通孔となることが防止される。
【００６７】
当該ドア１０において、化粧材１８は、一側部がドア本体１６の吊元側に配置され、他側部がドア本体１６の戸先側に配置され、ドア本体１６の吊元側から戸先側に向かって複数枚並んで取り付けられる。これにより、最も戸先側に配置され、その他側部の支持縁部５０がエッジ部材２７の折曲片２７ａの内部でスナップ金具５２によって保持されるため、その他側部のねじ止めが難しい戸先側化粧材１８ｂについても十分な保持構造を構築できる。また、戸先側化粧材１８ｂは、ドアハンドル５４の取付部５４ａと孔部５６との位置ずれ防止作用により、上下方向の位置ずれも防止され、一層強固な取り付けが可能となる。
【００６８】
換言すれば、仮に化粧材１８を戸先側から吊元側へと順に取り付けるように構成した場合には、保持具３８が戸先側に配置される。そうすると、最後に取り付けられる吊元側化粧材１８ａの吊元側端部はねじ止めが難しく且つ上下方向の位置ずれ防止構造の採用も難しいため、強固な取り付けが難しく、外観品質の低下を考慮しつつ該吊元側化粧材１８ａの表面からねじ止め等を行う必要を生じる懸念がある。勿論、ドア本体の構造等によっては本実施形態の構造と異なり、吊元側でも十分な機械拘束が可能な場合があり、その場合は化粧材１８の取り付けは戸先側から行ってもよい。
【００６９】
なお、本発明は、上記した実施形態に限定されるものではなく、本発明の主旨を逸脱しない範囲で自由に変更できることは勿論である。
【００７０】
例えば上記実施形態では、ドア本体１６上下方向に延びた帯板状の化粧材１８をドア本体１６の吊元側から戸先側へと並べるように複数枚配置したが、化粧材１８はドア本体１６の左右方向に延びた帯板状に構成され、ドア本体１６の上下方向に沿って複数枚並べて配置されてもよい。この場合、係合片部３２をスライドさせて係合させる保持具３８での保持構造を考慮すると、化粧材１８は下側から上側に向かって順に並べて配置されることが好ましく、すなわち保持具３８で保持する一側部がドア本体１６の下側に配置され、固定具４５で保持する他側部がドア本体１６の上側に配置されると、保持具３８で係合片部３２を確実に保持しておくことができる。また、ドア本体１６の上側に配置された化粧材１８の他側部がその上に取り付けられた化粧材１８の一側部であるカバー部３０によって覆われるため、化粧材１８の内側への雨水等の浸入を防止できる。
【００７１】
上記実施形態ではドア本体１６の室外側の化粧材１８を上記した着脱構造で取り付ける構成を例示したが、この着脱構造は室内側の化粧材２０に適用してもよい。
【００７２】
上記実施形態では化粧材１８を複数枚設けた構成を例示したが、ドア本体１６の表面を１枚の化粧材１８で覆う構成としてもよい。この場合には、例えば上記実施形態での各化粧材１８を連結し、１枚板の内側に保持具３８を適宜設けた構造とすればよい。
【符号の説明】
【００７３】
１０  ドア、１２  建具、１４  ドア枠、１６  ドア本体、１８，２０  化粧材、１８ａ  吊元側化粧材、１８ｂ  戸先側化粧材、１８ｃ  中間化粧材、２２  ヒンジ、２４  骨組体、２４ａ  骨材、２５  表面パネル、２６，２７  エッジ部材、２７ａ  折曲片、２８  取付ねじ、２９，５４  ドアハンドル、３０  カバー部、３２  係合片部、３４  薄肉部、３６  凹状部、３８  保持具、４０  リベット、４２  逃げ部、４４  固定ねじ、４５  固定具、４５ａ  雌ねじ、４６  カバー凹部、４８  逃げ段部、５０  支持縁部、５２  スナップ金具、５４ａ  取付部、５６  孔部
【図１】
0006512978.tif 000002
【図２】
0006512978.tif 000003
【図３】
0006512978.tif 000004
【図４】
0006512978.tif 000005
【図５】
0006512978.tif 000006
【図６】
0006512978.tif 000007
【図７】
0006512978.tif 000008